(57)【要約】      （修正有）【課題】シューズへの着脱が容易であって、シューズからの浮きを抑制できるシューズ用ＲＦＩＤタグ及びＲＦＩＤタグ付きシューズを提供する。【解決手段】シューズ用ＲＦＩＤタグ２０は、可撓性を有する薄型の基材１と、基材に設けられた可撓性を有するアンテナパターン１０と、基材に設けられ、アンテナパターンに接続されたＲＦＩＣ素子２と、基材の端部に設けられ、基材よりも堅く、シューズの靴紐に着脱可能な薄板状のクロージャ部５ａ、５ｂと、を備える。【選択図】図１
0003204679.tif 000002
【実用新案登録請求の範囲】
【請求項１】
可撓性を有する薄型の基材と、
前記基材に設けられた可撓性を有するアンテナパターンと、
前記基材に設けられ、前記アンテナパターンに接続されたＲＦＩＣ素子と、
前記基材の端部に設けられ、前記基材よりも堅く、シューズの靴紐に着脱可能な薄板状のクロージャ部と、
を備えた、シューズ用ＲＦＩＤタグ。
【請求項２】
前記基材は、平面視で長手方向と短手方向を有しており、前記クロージャ部は前記基材の前記長手方向の両端部にそれぞれ設けられている、請求項１に記載のシューズ用ＲＦＩＤタグ。
【請求項３】
前記ＲＦＩＣ素子は、可撓性素体と、前記可撓性素体に搭載されたＲＦＩＣチップと、を有する、請求項１又は２に記載のシューズ用ＲＦＩＤタグ。
【請求項４】
前記アンテナパターンは、ダイポール型の第１放射パターン及び第２放射パターンを有する、請求項１から３のいずれか一項に記載のシューズ用ＲＦＩＤタグ。
【請求項５】
前記アンテナパターンは、
前記第１放射パターンと前記ＲＦＩＣ素子とを接続する第１接続パターンと、
前記第２放射パターンと前記ＲＦＩＣ素子とを接続する第２接続パターンと、
を有し、
前記第１接続パターンと前記第２接続パターンとは、前記ＲＦＩＣ素子を挟んで互いに平行に延在する、請求項４に記載のシューズ用ＲＦＩＤタグ。
【請求項６】
靴紐部にシューズ用ＲＦＩＤタグが取り付けられたシューズであって、
前記シューズ用ＲＦＩＤタグは、
可撓性を有する薄型の基材と、
前記基材に設けられた可撓性を有するアンテナパターンと、
前記基材に設けられ、前記アンテナパターンに接続されたＲＦＩＣ素子と、
前記基材の端部に設けられ、前記基材よりも堅く、シューズの靴紐に着脱可能な薄板状のクロージャ部と、
を有し、
前記シューズ用ＲＦＩＤタグは、前記クロージャ部にて前記靴紐に取り付けられている、ＲＦＩＤタグ付きシューズ。
【請求項７】
前記シューズ用ＲＦＩＤタグは、前記靴紐のうち、折り返された紐間に挟みこまれている、請求項６に記載のＲＦＩＤタグ付きシューズ。
【考案の詳細な説明】
【技術分野】
【０００１】
本考案は、ランニングシューズ等に着脱可能なシューズ用ＲＦＩＤタグ及び該ＲＦＩＤタグを取り付けたＲＦＩＤタグ付きシューズに関する。
【背景技術】
【０００２】
近年、マラソン大会においては、ＲＦＩＤタグとリーダとで構成されるＲＦＩＤシステムを利用してそれぞれのランナーのタイムを計測する管理手法が提案されている。つまり、ランナーの靴にＲＦＩＤタグを取り付けておき、スタートやゴールなどにＲＦＩＤタグと通信可能なリーダを設置して、ＲＦＩＤシステムを構成している。
【０００３】
たとえば、靴のつま先にベルト式のＲＦＩＤタグを取り付けるといった構成が開示されている（例えば、特許文献１参照。）。
【先行技術文献】
【特許文献】
【０００４】
【特許文献１】特開２０１５−２１０６６８号公報
【考案の概要】
【考案が解決しようとする課題】
【０００５】
しかし、上記のＲＦＩＤタグを装着した靴では、ＲＦＩＤタグがつま先に設けられているので、ランナーがつまずいたときなどにＲＦＩＤタグが損傷しやすい。また、ＲＦＩＤタグのホルダが折り返し型構造なので、シューズからＲＦＩＤタグが浮いておりシューズとの一体感がなく、ランナーの走行感覚を阻害しやすい。また、ＲＦＩＤタグのシューズへの着脱に時間がかかる、といった問題があった。
【０００６】
本考案の目的は、シューズへの着脱が容易であって、シューズからの浮きを抑制できるシューズ用ＲＦＩＤタグを提供することである。
【課題を解決するための手段】
【０００７】
本考案に係るシューズ用ＲＦＩＤタグは、可撓性を有する薄型の基材と、
前記基材に設けられた可撓性を有するアンテナパターンと、
前記基材に設けられ、前記アンテナパターンに接続されたＲＦＩＣ素子と、
前記基材の端部に取り付けられており、前記基材よりも堅く、シューズの靴紐に着脱可能な薄板状のクロージャ部と、
を備える。
【考案の効果】
【０００８】
本考案に係るシューズ用ＲＦＩＤタグによれば、クロージャ部によってシューズ用ＲＦＩＤタグをシューズの靴紐に装着でき、シューズへの着脱が容易であって、シューズからの浮きを抑制できる。
【図面の簡単な説明】
【０００９】
【図１】（ａ）は、実施の形態１に係るシューズ用ＲＦＩＤタグの構成を示す平面図であり、（ｂ）は、（ａ）の側面図である。
【図２】（ａ）は、実施の形態１に係るシューズ用ＲＦＩＤタグのＲＦＩＣ素子の断面図であり、（ｂ）は、（ａ）のＲＦＩＣ素子の等価回路図である。
【図３】実施の形態１に係るＲＦＩＤタグ付きシューズの構成を示す概略斜視図である。
【図４】図３のＲＦＩＤタグ付きシューズに装着したシューズ用ＲＦＩＤタグを示す部分平面図である。
【図５】実施の形態１の変形例１に係るシューズ用ＲＦＩＤタグの構成を示す平面図である。
【図６】実施の形態１の変形例１に係るＲＦＩＤタグ付きシューズに取り付けられたシューズ用ＲＦＩＤタグを示す部分平面図である。
【図７】実施の形態１の変形例２に係るＲＦＩＤタグ付きシューズに取り付けられたシューズ用ＲＦＩＤタグを示す部分平面図である。
【考案を実施するための形態】
【００１０】
第１の態様に係るシューズ用ＲＦＩＤタグは、可撓性を有する薄型の基材と、
前記基材に設けられた可撓性を有するアンテナパターンと、
前記基材に設けられ、前記アンテナパターンに接続されたＲＦＩＣ素子と、
前記基材の端部に設けられ、前記基材よりも堅く、シューズの靴紐に着脱可能な薄板状のクロージャ部と、
を備える。
【００１１】
上記構成によれば、クロージャ部によってシューズ用ＲＦＩＤタグをシューズへの着脱が容易であって、シューズからの浮きを抑制できる。
【００１２】
第２の態様に係るシューズ用ＲＦＩＤタグは、上記第１の態様において、前記基材は、平面視で長手方向と短手方向を有しており、前記クロージャ部は前記基材の前記長手方向の両端部にそれぞれ設けられていてもよい。
【００１３】
第３の態様に係るシューズ用ＲＦＩＤタグは、上記第１又は第２の態様において、前記ＲＦＩＣ素子は、可撓性素体と、前記可撓性素体に搭載されたＲＦＩＣチップと、を有してもよい。
【００１４】
第４の態様に係るシューズ用ＲＦＩＤタグは、上記第１から第３のいずれかの態様において、前記アンテナパターンは、ダイポール型の第１放射パターン及び第２放射パターンを有してもよい。
【００１５】
第５の態様に係るシューズ用ＲＦＩＤタグは、上記第４の態様において、前記アンテナパターンは、
前記第１放射パターンと前記ＲＦＩＣ素子とを接続する第１接続パターンと、
前記第２放射パターンと前記ＲＦＩＣ素子とを接続する第２接続パターンと、
を有し、
前記第１接続パターンと前記第２接続パターンとは、前記ＲＦＩＣ素子を挟んで互いに平行に延在してもよい。
【００１６】
第６の態様に係るＲＦＩＤタグ付きシューズは、靴紐にシューズ用ＲＦＩＤタグが取り付けられたシューズであって、
前記シューズ用ＲＦＩＤタグは、
可撓性を有する薄型の基材と、
前記基材に設けられた可撓性を有するアンテナパターンと、
前記基材に設けられ、前記アンテナパターンに接続されたＲＦＩＣ素子と、
前記基材の端部に設けられ、前記基材よりも堅く、シューズの靴紐に着脱可能な薄板状のクロージャ部と、
を有し、
前記シューズ用ＲＦＩＤタグは、前記クロージャ部にて前記靴紐に取り付けられている。
【００１７】
第７の態様に係るＲＦＩＤタグ付きシューズは、上記第６の態様において、前記シューズ用ＲＦＩＤタグは、前記靴紐のうち、折り返された紐間に挟みこまれていてもよい。
【００１８】
以下、実施の形態に係るシューズ用ＲＦＩＤタグ及びＲＦＩＤタグ付きシューズについて、添付図面を参照しながら説明する。なお、図面において実質的に同一の部材については同一の符号を付している。
【００１９】
（実施の形態１）
図１（ａ）は、実施の形態１に係るシューズ用ＲＦＩＤタグ２０の構成を示す平面図である。図１（ｂ）は、図１（ａ）の側面図である。
このシューズ用ＲＦＩＤタグ２０は、可撓性を有する基材１と、可撓性を有するアンテナパターン１０と、アンテナパターン１０に接続されたＲＦＩＣ素子２と、シューズの靴紐に着脱可能な薄板状のクロージャ部５ａ、５ｂと、を備える。アンテナパターン１０と、ＲＦＩＣ素子２と、は、上記基材１の上に設けられている。クロージャ部５ａ、５ｂは、基材１の長手方向の両端に設けられている。
【００２０】
このシューズ用ＲＦＩＤタグ２０によれば、クロージャ部５ａ、５ｂによってシューズ用ＲＦＩＤタグ２０をシューズの靴紐に容易に装着できる。また、クロージャ部５ａ、５ｂによって靴紐に取り付けるので、シューズへの着脱が容易である。さらに、長手方向の両側のクロージャ部５ａ、５ｂによって靴の幅方向の両側の靴紐にそれぞれ取り付けるので、シューズ用ＲＦＩＤタグ２０を安定させることができ、シューズからの浮きを抑制できる。
【００２１】
また、このシューズ用ＲＦＩＤタグ２０は、可撓性を有する薄型の基材１に設けているので、超薄型で可撓性を持ったＲＦＩＤタグとして実現できる。これによって、シューズ用ＲＦＩＤタグ２０は、損傷しにくい。また、このシューズ用ＲＦＩＤタグ２０は、全体として小型軽量化でき、じゃまになりにくく、ランナーの走行感覚を阻害しにくい。さらに、通常使用されるシューズの左右の靴紐孔の間隔に合わせてアンテナパターン１０及び基材１の長さを設定しておくことによって、シューズ用ＲＦＩＤタグ２０をシューズの左右の靴紐孔３６の間に設けることができる。
【００２２】
以下に、このシューズ用ＲＦＩＤタグ２０を構成する構成部材について説明する。
【００２３】
＜基材＞
基材１は、薄型であって可撓性を有するものであればよい。基材１としては、例えば、紙、ポリエチレンテレフタレート（ＰＥＴ）等であってもよい。なお、基材１は、その他の材料からなるものであってもよい。
基材１は、平面視で長手方向と短手方向とを有する。長手方向の長さは使用するシューズに合わせて調整してもよい。例えば、シューズ用ＲＦＩＤタグ２０を幅方向の左右の靴紐孔の間に配置する場合には、シューズの左右の靴紐孔の間隔に合わせて長手方向の長さを調整してもよい。あるいは、シューズ用ＲＦＩＤタグ２０をかかとからつま先に向かう方向に沿って配置する場合には、幅方向の靴紐の部分の長さに合わせて長手方向の長さをより長めに調整してもよい。
【００２４】
＜アンテナパターン＞
アンテナパターン１０としては、第１放射パターン３ａ、３ｂと、第２放射パターン３ｃ、３ｄと、第１放射パターン３ａ、３ｂとＲＦＩＣ素子２とを接続するための第１接続パターン４ａと、第２放射パターン３ｃ、３ｄとＲＦＩＣ素子２とを接続するための第２接続パターン４ｂと、を含む。
アンテナパターン１０は、基材１の上に設けられる。基材１が紙の場合には、基材１の上に、例えば、導電性材料等を印刷することによってアンテナパターン１０を設けることができる。
【００２５】
＜接続パターン＞
第１接続パターン４ａは、第１放射パターン３ａ、３ｂとＲＦＩＣ素子２とを接続している。第２接続パターン４ｂは、第２放射パターン３ｃ、３ｄとＲＦＩＣ素子２とを接続している。第１接続パターン４ａと第２接続パターン４ｂとは、ＲＦＩＣ素子２を挟んで互いに平行に延在している。これによって、ＲＦＩＣ素子２の配置箇所が第１及び第２接続パターン４ａ、４ｂの延在方向に沿って多少ずれることがあってもＲＦＩＣ素子２を第１接続パターン４ａと第２接続パターン４ｂとに接続させることができる。
第１及び第２接続パターン４ａ、４ｂは、通常のアンテナパターンに用いられる銅箔、銅板、銅めっき膜、金箔、金板、金めっき膜等の材料を用いることができる。材料は上記の例に限られず、通常使用されるものであれば使用できる。
【００２６】
＜放射パターン＞
第１放射パターン３ａ、３ｂは、第１接続パターン４ａの両端ａ，ｂからそれぞれ延在している。第２放射パターン３ｃ、３ｄは、第２接続パターン４ｂの両端ｃ、ｄからそれぞれ延在している。第１放射パターン３ａ、３ｂと第２放射パターン３ｃ、３ｄとは、ＲＦＩＣ素子２と第１及び第２接続パターン４ａ、４ｂとを挟んで互いに反対方向に延在している。
【００２７】
図１（ａ）に示すように、第１放射パターン３ａ、３ｂは、２本の放射パターンとして設けられているが、２本に限定するものではなく、第１接続パターン４ａのいずれかの端部ａ、ｂから一本の放射パターンとして設けられていてもよい。あるいは、第１接続パターン４ａの両端ａ、ｂ以外の途中から分岐して設けられていてもよい。さらに、３本以上の放射パターンとして設けられていてもよい。
【００２８】
第１放射パターン３ａ、３ｂのうち、第１放射パターン３ａは、第１接続パターン４ａの端部ａから基材１の長手方向に沿ってＲＦＩＣ素子２から遠ざかるように延在し、端部に達した後、延在方向を９０度変えて短手方向に沿って延在する。第１放射パターン３ａは、さらに短手方向の端部に達した後、延在方向を９０度変えて長手方向に沿ってＲＦＩＣ素子２に近づくように延在している。第１放射パターン３ｂは、第１接続パターン４ａの端部ｂから基材１の長手方向に沿ってＲＦＩＣ素子２から遠ざかるように延在している。なお、この第１放射パターン３ｂは、途中で延在方向を９０度変えて部分的に短手方向に沿って延在し、全体としてジグザグ形状を有する。
【００２９】
同様に、第２放射パターン３ｃ、３ｄは、２本の放射パターンとして設けられているが、２本に限定するものではなく、第２接続パターン４ｂのいずれかの端部ｃ、ｄから一本の放射パターンとして設けられていてもよい。あるいは、第２接続パターン４ｂの両端ｃ、ｄ以外の途中から分岐して設けられていてもよい。さらに、３本以上の放射パターンとして設けられていてもよい。
【００３０】
第２放射パターン３ｃ、３ｄのうち、第２放射パターン３ｃは、第２接続パターン４ｂの端部ｃから基材１の長手方向に沿ってＲＦＩＣ素子２から遠ざかるように延在し、端部に達した後、延在方向を９０度変えて短手方向に沿って延在する。第２放射パターン３ｃは、さらに短手方向の端部に達した後、延在方向を９０度変えて長手方向に沿ってＲＦＩＣ素子２に近づくように延在している。第２放射パターン３ｄは、第２接続パターン４ｂの端部ｄから基材１の長手方向に沿ってＲＦＩＣ素子２から遠ざかるように延在している。なお、この第２放射パターン３ｄは、途中で延在方向を９０度変えて部分的に短手方向に沿って延在し、全体としてジグザグ形状を有する。
【００３１】
なお、図１（ａ）では、第１放射パターン３ａ、３ｂ、第２放射パターン３ｃ、３ｄは、折り返し形状及びジグザグ形状であるが、それぞれの形状は、これらの形状に限られない。第１放射パターン３ａ、３ｂ、第２放射パターン３ｃ、３ｄは、例えば、細長矩形形状、棒形状（バー形状）、ミアンダ形状、及び、これらの形状の一部を組み合わせた形状であってもよい。
【００３２】
第１放射パターン３ａ、３ｂ及び第２放射パターン３ｃ、３ｄは、通常のアンテナパターンに用いられる銅箔、銅板、銅めっき膜、金箔、金板、金めっき膜等の材料を用いることができる。材料は上記の例に限られず、通常使用されるものであれば使用できる。
【００３３】
＜ＲＦＩＣ素子＞
図２（ａ）は、実施の形態１に係るシューズ用ＲＦＩＤタグ２０のＲＦＩＣ素子２の断面図である。図２（ｂ）は、図２（ａ）のＲＦＩＣ素子２の等価回路図である。
ＲＦＩＣ素子２は、ＲＦＩＣチップ２１と、導電性接合材２２及び端子電極２３を介してＲＦＩＣチップ２１と接続された多層基板２５とを備える。多層基板２５は、例えば、可撓性を有する素体であってもよい。ＲＦＩＣチップ２１は封止樹脂２４で封止されている。また、多層基板２５には、Ｌ１及びＬ２等のＬパターン及びＣ１、Ｃ２等のＣパターンからなる給電回路が内蔵されている。ＣＩＣは、ＲＦＩＣチップ２１の浮遊容量である。給電回路によって共振回路が形成されており、その共振周波数はキャリア周波数に対応する。このように給電回路を設けることによって、アンテナパターン１０の電気長が変化してもキャリア周波数の中心周波数は大きく変化しないようにすることができる。
つまり、初期状態でのアンテナパターン１０の電気長を最大利得状態（２／λ）にあわせておけば、アンテナパターン１０の電気長が若干変化しても通信可能距離が低下するだけで、同じキャリア周波数で読み取りは可能である。
【００３４】
ＲＦＩＣ素子２とアンテナパターン１０を構成する第１及び第２接続パターン４ａ、４ｂとは、例えば、端子電極２６ａ、２６ｂによって直接接続されていてもよい。この場合、端子電極２６ａと第１接続パターン４ａとを接続し、端子電極２６ｂと第２接続パターン４ｂとを接続する。また、ＲＦＩＣ素子２と第１及び第２接続パターン４ａ、４ｂとは、端子電極２６ａ、２６ｂによる直接接続だけでなく、容量結合、磁界結合等のいずれの結合をしていてもよい。
【００３５】
なお、図２では、ＲＦＩＣ素子２において、給電回路を内蔵する多層基板２５を設けているがこれに限られず、給電回路を設けない場合であってもよい。
なお、このシューズ用ＲＦＩＤタグのキャリア周波数としては、例えば、ＨＦ帯ＲＦＩＤシステムにおける１３ＭＨｚ帯、ＵＨＦ帯ＲＦＩＤシステムにおける９００ＭＨｚ帯、等を利用できる。特に、ＵＨＦ帯ＲＦＩＤシステムは、通信距離が比較的長いため複数のシューズ用ＲＦＩＤタグ２０を一括して読取りできる。
【００３６】
＜クロージャ部＞
クロージャ部５ａ、５ｂは、シューズの靴紐に着脱可能な薄板状である。具体的には、このクロージャ部５ａ、５ｂは、周縁の一部を欠く開口部６ａ、６ｂを有する薄板状である。つまり、開口部６ａ、６ｂの周縁には切欠き７ａ、７ｂを有する。なお、切欠き７ａ、７ｂには隙間はなくてもよい。このクロージャ部５ａ、５ｂの開口部６ａ、６ｂの周縁の切欠き７ａ、７ｂを介してシューズの靴紐を開口部６ａ、６ｂに通すことで、シューズ用ＲＦＩＤタグ２０をシューズに取り付けられる。また、このクロージャ部５ａ、５ｂは、上記切欠き７ａ、７ｂの両側の周縁に開口部の内側に向かう突起（返し）を有してもよい。この突起（返し）８ａ、８ｂによって、開口部６ａ、６ｂに入った靴紐が切欠き７ａ、７ｂを介して外れる（脱離）ことを抑制できる。
【００３７】
このクロージャ部５ａ、５ｂは、基材１の端部、図１（ａ）の場合には、基材１の長手方向の両端に設けられる。また、このクロージャ部５ａ、５ｂは、基材１よりも堅い。
【００３８】
クロージャ部５ａ、５ｂは、例えば、ポリスチレンからなるものであってもよい。また、基材１より堅いものであればよく、他の材料からなるものであってもよい。
なお、クロージャ部５ａ、５ｂには、脱着部と呼ばれる部材を含んでもよい。
【００３９】
＜ラベル＞
このシューズ用ＲＦＩＤタグ２０は、必要に応じて基材１のアンテナパターン１０の上面にラベルを添付してもよい。ラベルは、例えば、使用する大会等の名称を付してもよい。ラベルによってアンテナパターンを保護することができる。
【００４０】
＜ＲＦＩＤタグ付きシューズ＞
図３は、実施の形態１に係るＲＦＩＤタグ付きシューズ３０の構成を示す概略斜視図である。図４は、図３のＲＦＩＤタグ付きシューズ３０に装着したシューズ用ＲＦＩＤタグ２０を示す部分平面図である。
このＲＦＩＤタグ付きシューズ３０は、靴紐３４を含むシューズ、例えばランニングシューズであり、シューズ用ＲＦＩＤタグ２０がクロージャ部５ａ、５ｂによって靴紐３４に取り付けられたシューズである。このＲＦＩＤタグ付きシューズ３０は、さらにシューズ本体３２、靴紐孔３６を含む。具体的には、図３及び図４に示すように、基材１の長手方向の両端のクロージャ部５ａ、５ｂの開口部６ａ、６ｂに靴紐３４を通すことによって、シューズ用ＲＦＩＤタグ２０が靴紐３４に取り付けられている。なお、クロージャ部５ａ、５ｂの開口部６ａ、６ｂは、周縁の一部を欠く切欠き７ａ、７ｂを有するので、シューズ本体３２の靴紐孔３６に靴紐３４を通した後であっても、クロージャ部５ａ、５ｂの開口部６ａ、６ｂの周縁の切欠き７ａ、７ｂを介して靴紐３４をクロージャ部５ａ、５ｂの開口部６ａ、６ｂに通すことができる。
【００４１】
このＲＦＩＤタグ付きシューズ３０では、シューズ用ＲＦＩＤタグ２０のクロージャ部５ａ、５ｂに靴紐３４を通すことによって、シューズ用ＲＦＩＤタグ２０を靴紐３４に容易に取り付けることができる。また、クロージャ部５ａ、５ｂによって靴紐３４にシューズ用ＲＦＩＤタグ２０を取り付けられる。さらに、クロージャ部５ａ、５ｂによって靴紐３４への着脱が容易になる。さらに、クロージャ部５ａ、５ｂに靴紐３４を通すことでシューズ用ＲＦＩＤタグ２０をシューズ本体３２に固定でき、浮きを抑制できる。
【００４２】
＜ＲＦＩＤタグ付きシューズの使用例＞
このＲＦＩＤタグ付きシューズの使用例について説明する。このＲＦＩＤタグ付きシューズ３０は、例えば、ランナーのタイムを計測する管理方法に利用できる。具体的には、このＲＦＩＤタグ付きシューズ３０をランナーが着用する。また、スタート地点、ゴール地点、その他の必要な地点にＲＦＩＤタグ付きシューズ３０に取り付けられたシューズ用ＲＦＩＤタグ２０と通信するためのリーダライタアンテナを設けておく。リーダライタアンテナは、例えばダイポールアンテナ、シート状アンテナ等であってもよい。このＲＦＩＤタグ付きシューズ３０と、リーダライタアンテナと、によってランナーのタイムを計測するためのＲＦＩＤシステムを構成できる。なお、シューズ用ＲＦＩＤタグ２０には、例えば、あらかじめランナーのＩＤ情報を入力しておく。また、ＲＦＩＤシステムには、必要によりリーダライタアンテナと接続され、データを記録するサーバを含んでもよい。
【００４３】
このランナーのタイムを計測する管理手法では、ランナーがスタート地点、ゴール地点、その他の必要な地点に達すると、リーダライタアンテナによってシューズ用ＲＦＩＤタグ２０を検出できる。ＲＦＩＤシステムのサーバは、シューズ用ＲＦＩＤタグ２０から検出したＩＤ情報と、シューズ用ＲＦＩＤタグ２０を検出した通過時間と、を記録する。サーバは、記録したランナーのＩＤ情報と、スタート地点、ゴール地点、その他の必要な地点の通過時間と、を必要に応じてネットワーク等を通じてランナー等に知らせることができる。これによって、ランナーは自身の総合タイムを知ることができる。さらに、スタート地点及びゴール地点だけでなく、その他の地点として、途中の複数のポイントにリーダライタアンテナを設けておいてもよい。これによって、各ポイントごとのラップタイムも記録することができる。
【００４４】
（変形例１）
＜シューズ用ＲＦＩＤタグ＞
図５は、実施の形態１の変形例１に係るシューズ用ＲＦＩＤタグ２０ａの構成を示す平面図である。
この変形例１に係るシューズ用ＲＦＩＤタグ２０ａは、実施の形態１に係るシューズ用ＲＦＩＤタグと対比すると、図５に示すように、基材１の長手方向の片側の端部にのみクロージャ部５ｃを設けている点で相違する。片側のクロージャ部５ｃによって、シューズ用ＲＦＩＤタグ２０ａを靴紐に取り付けることができる。また、片側のクロージャ部５ｃのみを有するので、シューズへの着脱がさらに容易になる。
【００４５】
＜ＲＦＩＤタグ付きシューズ＞
図６は、実施の形態１の変形例１に係るＲＦＩＤタグ付きシューズ３０ａに装着したシューズ用ＲＦＩＤタグ２０ａを示す部分平面図である。
この変形例１に係るＲＦＩＤタグ付きシューズ３０ａは、実施の形態１に係るＲＦＩＤタグ付きシューズと対比すると、シューズ用ＲＦＩＤタグ２０ａをかかとからつま先への方向に沿って配置している点で相違する。これによって、シューズ用ＲＦＩＤタグ２０ａの長さとシューズ本体３２の幅との間に大小関係があって、シューズの幅方向に取り付けることが困難な場合にもクロージャ部５ａの開口部６ｃに靴紐３４を通すことによってシューズ用ＲＦＩＤタグ２０ａを靴紐３４に取り付けることができる。
【００４６】
（変形例２）
＜ＲＦＩＤタグ付きシューズ＞
図７は、実施の形態１の変形例２に係るＲＦＩＤタグ付きシューズ３０ｂに装着したシューズ用ＲＦＩＤタグ２０を示す部分平面図である。
この変形例２に係るＲＦＩＤタグ付きシューズ３０ｂは、実施の形態１に係るＲＦＩＤタグ付きシューズと対比すると、シューズ用ＲＦＩＤタグ２０をかかとからつま先への方向に対して交差するように斜めに配置している点で相違する。これによって、シューズ用ＲＦＩＤタグ２０ａの長さとシューズ本体３２の幅との間に大小関係があって、シューズの幅方向に取り付けることが困難な場合にも、シューズ用ＲＦＩＤタグ２０をシューズ本体３２に対して取り付けられる。具体的には、まず、対向する靴紐孔３６のうち、シューズ用ＲＦＩＤタグ２０ａの長さと対応する斜め方向で対向する一対の靴紐孔３６を見出す。そして、クロージャ部５ａ、５ｂの開口部６ａ、６ｂにシューズ用ＲＦＩＤタグ２０ａの長さと対応する一対の靴紐孔３６を通る靴紐３４を通している。これによって、シューズ用ＲＦＩＤタグ２０を靴紐３４に取り付けることができる。さらに、変形例１に比べて長手方向の両側のクロージャ部５ａ、５ｂによって靴紐３４に取り付けることができるので、より確実にシューズ用ＲＦＩＤタグ２０をシューズに取り付けることができる。
【００４７】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００４８】
本考案に係るシューズ用ＲＦＩＤタグによれば、クロージャ部によってシューズの靴紐に装着でき、シューズへの着脱が容易であって、シューズからの浮きを抑制できる。
【符号の説明】
【００４９】
１  基材
２  ＲＦＩＣ素子
３ａ、３ｂ  第１放射パターン
３ｃ、３ｄ  第２放射パターン
４ａ  第１接続パターン
４ｂ  第２接続パターン
５ａ、５ｂ、５ｃ  クロージャ部
６ａ、６ｂ、６ｃ  開口部
７ａ、７ｂ、７ｃ  切欠き
８ａ、８ｂ  突起（返し）
１０  アンテナパターン
２０、２０ａ  シューズ用ＲＦＩＤタグ
２１  ＲＦＩＣチップ
２２  導電性接合材
２３  端子電極
２４  封止樹脂
２５  多層基板
２６ａ、２６ｂ  端子電極
３０、３０ａ、３０ｂ  ＲＦＩＤタグ付きシューズ
３２  靴本体
３４  靴紐
３６  靴紐孔
【図１】
0003204679.tif 000003
【図２】
0003204679.tif 000004
【図３】
0003204679.tif 000005
【図４】
0003204679.tif 000006
【図５】
0003204679.tif 000007
【図６】
0003204679.tif 000008
【図７】
0003204679.tif 000009